(57)【特許請求の範囲】
【請求項１】
計時器用バランスばねを保持又は支持するアセンブリー（１）であって、
バランスばねスタッド（７）と、及びバランスばねスタッドホルダー（４）が固定されるバランスコック（２）とを有し、
前記スタッドホルダーは、前記バランスばねスタッドを中に収容するハウジング（５３、５３’、５１４）が設けられた保持手段（５）と、弾性アーム（６２）を有するグリップ手段（６）とを有し、
前記バランスばねスタッド（７）は円錐側面状の輪郭（７３）を有し、前記弾性アーム（６２）は前記輪郭（７３）の円錐側面の傾斜に垂直な力を与え、これによって前記バランスばねスタッド（７）を鉛直方向（ｚ軸方向）に押し込むとともにそのハウジング（５３、５３’、５１４）内にｘｙ平面に沿った方向に押し込むよう構成され、
少なくとも前記グリップ手段は、前記保持手段に対して動くことができ、これによって、前記バランスばねスタッドをそのハウジング内にロックする
ことを特徴とするアセンブリー。
【請求項２】
前記保持手段（５）及び前記グリップ手段（６）は、隆起（８）に回転自在にマウントされるように構成する環状材の形態である
ことを特徴とする請求項１に記載のアセンブリー。
【請求項３】
前記保持手段は、２つの延長部分（５２）が設けられたバランスばねスタッド受容手段（５１）を有する保持リング（５０）の形態であり、
前記延長部分（５２）は、前記保持リング（５０）から突き出ており、ハウジング（５３）を形成してこのハウジング（５３）内に前記バランスばねスタッド（７）を収容することができる
ことを特徴とする請求項２に記載のアセンブリー。
【請求項４】
前記保持手段は、１つの延長部分（５２’）が設けられたバランスばねスタッド受容手段（５１）を有する保持リング（５０）の形態であり、
前記延長部分には、ハウジング（５３）を形成する開口が設けられており、
このハウジング（５３）内に前記バランスばねスタッド（７）を収容することができる
ことを特徴とする請求項２に記載のアセンブリー。
【請求項５】
前記グリップ手段は、弾性アーム（６２）を有するグリップリング（６０）であって前記グリップリングの曲がりの方向と実質的に同じ方向に前記グリップリング（６０）から前記弾性アーム（６２）が延在しているようなグリップリング（６０）の形態であり、
これによって、前記グリップリング（６０）と前記弾性アーム（６２）の間に空間（６４）を形成し、
この空間（６４）によって、前記バランスばねスタッドが前記空間に入ることができ、
前記バランスばねスタッドがそのハウジング（５３、５３’）に前記弾性アームによって押し込まれることが可能になる
ことを特徴とする請求項３又は４に記載のアセンブリー。
【請求項６】
前記保持手段は、グリップ手段の一方の要素を構成する弾性アーム（５１２）を有する保持リング（５００）であって前記弾性アーム（５１２）が前記リングから延在し、前記バランスばねスタッドを収容するハウジング（５１４）を前記リングとともに形成するような保持リング（５００）の形態である
ことを特徴とする請求項２に記載のアセンブリー。
【請求項７】
前記グリップ手段は、グリップ手段の他方の要素を構成するスタッド（６０２）が配置されるフレーム（６０４）を有するグリップリング（６００）の形態であり、
前記フレームと前記スタッド（６０２）は、前記保持リング（５００）に対する前記グリップリングの回転にともなって回転し、これによって、前記スタッド（６０２）が前記弾性アーム（５１２）に接触して応力を発生させるよう構成して、前記バランスばねスタッド（７）がロックされる
ことを特徴とする請求項６に記載のアセンブリー。
【請求項８】
前記フレーム（６０４）は、溝（６１２）が設けられた構造を有し、
前記溝は、前記弾性アームを入れることができ、
前記保持リングに対する前記グリップリングの回転によって、前記弾性アームが変形して、前記バランスばねスタッド（７）をロックするように構成している
ことを特徴とする請求項７に記載のアセンブリー。
【請求項９】
前記フレーム（６０４）は、互いに横材（６０６）によって接続された少なくとも２つの半径方向に延在するアーム（６０５）を有し、
前記バランスばねスタッドが前記アームと接触をするリスクなしでロックされることが可能になるように、前記少なくとも２つのアームは離れている
ことを特徴とする請求項７に記載のアセンブリー。
【請求項１０】
前記グリップリング及び前記保持リングはそれぞれ、半径方向に延在する位置合わせ用延長材（５６、６６）を有し、
ピンセットタイプの工具によって前記位置合わせ用延長材（５６、６６）をつかんで前記グリップリング及び前記保持リングを回転させることが可能になっている
ことを特徴とする請求項５又は７に記載のアセンブリー。
【請求項１１】
前記グリップリング及び前記保持リングの前記位置合わせ用延長材（５６、６６）どうしは、前記バランスばねスタッドがロックされて前記位置合わせ用延長材（５６、６６）どうしを同時につかむことができるようになっているときに、対面するように構成しており、これによって、前記バランスコックに対する前記バランスばねスタッドの位置の角度的調整を行う
ことを特徴とする請求項１０に記載のアセンブリー。
【請求項１２】
伝達歯車列にエネルギーを供給するエネルギー源がマウントされている主板を有する計時器用ムーブメントであって、
この歯車列は、パルスがばね仕掛けバランスによって提供されるエスケープシステムのパレットレバーによってその回転が統制される回避車を介してエスケープシステムと連係しており、
前記バランスばねは、請求項１〜１１のいずれかに記載のアセンブリーにマウントされている
ことを特徴とする計時器用ムーブメント。
【発明の詳細な説明】
【技術分野】
【０００１】
本発明は、バランスばねスタッド及びスタッドホルダーを有する計時器用バランスばねを保持又は支持するアセンブリーに関する。
【背景技術】
【０００２】
機械式腕時計において、ばね仕掛けバランスデバイスを有する規制メンバーを用いることはよくある。伝統的に、バランスばねの内側端は、バランススタッフに設けられたコレットに取り付けられている。バランスばねの内側端を取り付けて位置合わせするために、バランスばねスタッドを収容するスタッドホルダーを用いることが知られている。これは、クランプ用ねじを用いて、スタッドホルダー内にて係合しているバランスばねの部分に対してスタッドをクランプする。
【０００３】
このようなアセンブリーにおいて、スタッドホルダーは、伝統的に、バランススタッフの一方の端を取り付けるために用いられるバランスコックに取り付けられる。バランスコックは、バランススタッフのための緩衝デバイスを装備したセッティングを組み入れるように構成している。既知のスタッドホルダーは、２つのリングを用いる。これらの２つのリングは、セッティングにおいて回転可能に動くことができるようにマウントされる。リングはそれぞれ、音叉ないしＹ字の形の延伸部を有し、このＹ字形のフォークがハウジングを形成する。
【０００４】
そして、中にバランスばねスタッドが収容されるように第１のリングが用いられ、ねじによって固定される。他方で、中に調整要素を収容するように第２のリングが用いられる。この調整要素によって、バランスばねの制限を調整してレートを調整して、バランスばねの周波数を調整することが可能になる。
【０００５】
しかし、このようなデバイスには、アフターセールスサービスによってメンテナンスないし修理作業が行われる際に使用が複雑になるという課題がある。実際に、多くの部品があること及び適所に保持するためにバランスばねスタッドをねじ込むことが必要であることによって、このような作業が難しくなり、調整ステップが後で必要となる。
【発明の概要】
【発明が解決しようとする課題】
【０００６】
本発明は、バランスばねスタッドの組み立て又は分解を単純化して良好に保持することができる計時器用バランスばねを保持又は支持するアセンブリーを提案することによって、従来技術の課題を解決することを目的とする。
【課題を解決するための手段】
【０００７】
このために、本発明は、計時器用バランスばねを保持又は支持するアセンブリーであって、バランスばねスタッドと、及びバランスばねスタッドホルダーが固定されるバランスコックとを有し、前記スタッドホルダーは、前記バランスばねスタッドを中に収容するハウジングが設けられた保持手段と、及びグリップ手段とを有し、少なくとも前記グリップ手段は、前記保持手段に対して動くことができ、これによって、前記バランスばねスタッドをそのハウジング内にロックするものに関する。
【０００８】
本発明の利点は、アフターセールスサービス時に「ケイ素製バランスばね／バランスコック」アセンブリーを容易に分解することが可能になるということである。グリップ手段によってバランスばねスタッドをアンロックすることによって、バランスばねを損傷させるリスクなしで、「バランスコック／バランスばねスタッドホルダー／ショックアプソーバー」部分から「バランス／バランスばね／バランスばねスタッド」部分を単純に取り除くことができる。
【０００９】
第１の好ましい実施形態において、前記保持手段及び前記グリップ手段は、隆起に回転自在にマウントされるように構成する環状材の形態である。
【００１０】
第２の好ましい実施形態において、前記保持手段は、２つの延長部分が設けられたバランスばねスタッド受容手段を有する保持リングの形態であり、前記延長部分は、前記保持リングから突き出ており、ハウジングを形成してこのハウジング内に前記バランスばねスタッドを収容することができる。
【００１１】
第３の好ましい実施形態において、前記保持手段は、前記保持リングから突き出る１つの延長部分を有するバランスばねスタッド受容手段を有する保持リングの形態であり、前記延長部分には、ハウジングを形成する開口が設けられており、このハウジング内に前記バランスばねスタッドを収容することができる。
【００１２】
第４の好ましい実施形態において、前記グリップ手段は、弾性アームを有するグリップリングであって前記グリップリングの曲がりの方向と実質的に同じ方向に前記グリップリングから前記弾性アームが延在しているようなリングの形態であり、これによって、前記グリップリングと前記弾性アームの間に空間を形成し、この空間によって、前記バランスばねスタッドが前記空間に入ることができ、前記バランスばねスタッドがそのハウジングに前記弾性アームによって押し込まれることが可能になる。
【００１３】
第５の好ましい実施形態において、前記保持手段は、弾性アームを有する保持リングであって前記弾性アームが前記リングから延在し、前記バランスばねスタッドを収容するハウジングを前記リングとともに形成するような保持リングの形態である。
【００１４】
第６の好ましい実施形態において、前記グリップ手段は、スタッドが配置されるフレームを有するグリップリングの形態であり、前記フレームと前記スタッドは、前記保持リングに対する前記グリップリングの回転が前記スタッドによって前記弾性アームによって与えられる応力を発生させて、前記バランスばねスタッドアセンブリーがロックされる。
【００１５】
第７の好ましい実施形態において、前記グリップ手段は、溝が設けられた構造が配置されるフレームを有するグリップリングの形態であり、前記溝は、前記弾性アームを入れることができ、前記保持リングに対する前記グリップリングの回転によって、前記アームが変形して、前記バランスばねスタッドアセンブリーをロックするように構成している。
【００１６】
別の好ましい実施形態において、前記フレームは、互いに横材によって接続された少なくとも２つの半径方向に延在するアームを有し、前記バランスばねスタッドが前記アームと何らかの接触をするリスクなしで適所にセットされロックされることが可能になるように、前記少なくとも２つのアームは離れている。
【００１７】
別の好ましい実施形態において、前記グリップリング及び前記保持リングはそれぞれ、半径方向に延在する位置合わせ用延長材を有し、ピンセットタイプの工具によって前記位置合わせ用延長材をつかんで前記グリップリング及び前記保持リングを回転させることが可能になっている。
【００１８】
別の好ましい実施形態において、前記グリップリング及び前記フレームの前記アームの前記位置合わせ用延長材は、単一部品のみを形成している。
【００１９】
別の好ましい実施形態において、前記グリップリング及び前記保持リングの前記位置合わせ用延長材どうしは、前記バランスばねスタッドがロックされて前記位置合わせ用延長材どうしを同時につかむことができるようになっているときに、対面するように構成しており、これによって、前記バランスコックに対する前記バランスばねスタッドの位置の角度的調整を行う。
【００２０】
添付図面に図示されている本発明の少なくとも１つの実施形態は、もっぱら例として与えられ、これらには制限されず、これについての下記の詳細な説明を読むことで、本発明の目的、利点及び特徴が明確になるであろう。
【図面の簡単な説明】
【００２１】
【図１】本発明に係る保持アセンブリーの第１の実施形態の斜視図を示している。
【図２】本発明に係る保持アセンブリーの第１の実施形態の斜視図を示している。
【図３】本発明に係る保持アセンブリーの第１の実施形態の斜視図を示している。
【図４】本発明に係る保持アセンブリーの第１の実施形態の断面図を示している。
【図５】本発明に係る保持アセンブリーの第１の実施形態の拡大平面図を示している。
【図６】本発明に係る保持アセンブリーの第１の実施形態の変種の斜視図を示している。
【図７】本発明に係る保持アセンブリーの第１の実施形態の変種の斜視図を示している。
【図８】本発明に係る保持アセンブリーの第１の実施形態の変種の斜視図を示している。
【図９】本発明に係る保持アセンブリーの第１の実施形態の変種の断面図を示している。
【図１０】本発明に係る保持アセンブリーの第１の実施形態の変種の拡大平面図を示している。
【図１１】本発明に係る保持アセンブリーの第２の実施形態の斜視図を示している。
【図１２】本発明に係る保持アセンブリーの第２の実施形態の斜視図を示している。
【図１３】本発明に係る保持アセンブリーの第２の実施形態の斜視図を示している。
【図１４】本発明に係る保持アセンブリーの第２の実施形態の断面図を示している。
【図１５】本発明に係る保持アセンブリーの第２の実施形態の裏側から見た平面図を示している。
【図１６】本発明に係る保持アセンブリーの第２の実施形態の変種の斜視図を示している。
【図１７】本発明に係る保持アセンブリーの第２の実施形態の変種の裏側から見た平面図を示している。
【発明を実施するための形態】
【００２２】
本発明は、バランスばねスタッドの組み立て／分解を単純化させる計時器用バランスばねを保持又は支持するアセンブリーを提供するという広い観念から生じたものである。
【００２３】
図１は、本発明に係る保持又は支持アセンブリー１を示している。このアセンブリー１は、バランスコック２にマウントされており、バランスばねスタッド７の保持のために用いられるバランスばねスタッドホルダー４を有する。
【００２４】
本発明に係るバランスばねスタッドホルダー４は、保持手段５及びグリップ手段６を有する。保持手段５は、バランスばねスタッド７を支持するために用いられ、グリップ手段６は、バランスばねスタッド７の位置を保持手段５上にロックするために用いられる。
【００２５】
図１〜５に示す第１の実施形態において、保持手段５は、保持リング５０の形態である。この保持リング５０は、閉じていても開いていてもよく、隆起８上に配置されるような寸法構成を有する。バランスコック２は、ピボットデバイス８０を有するように作ることができ、このピボットデバイス８０は、ジュエル穴と受け石８２及びばね８３が設けられたセッティング８１の形態であったり、バランススタッフが中で係合する穴８５が設けられたスタッド８４の形態であったりすることができる。隆起８は、このピボットデバイス８０であることができる。この隆起８は環状である。
【００２６】
保持リング５０は、ピボットデバイス８に圧力ばめされている。すなわち、セッティング８０又はスタッド８３に圧力ばめされている。保持リング５０の鉛直方向の変位を防ぐために、スタッド８３又はセッティング８０の周部にわたって延在する溝を設けることができる。保持リング５０は、さらに、バランスばねスタッド受容手段５１を有する。この受容手段５１は、保持リング５０から外側に平行に延在する突き出ている２つの延長部分５２を有する。これらの２つの延長部分５２は、互いに離れて配置して、ハウジング空間５３を形成する。このハウジング空間５３の中に、バランスばねスタッド７を収容することができる。したがって、これらの２つの延長部分は保持リング５０から突き出るが、バランスコック２からも突き出ることがわかる。
【００２７】
この第１の実施形態において、グリップ手段６は、グリップリング６０の形態である。グリップリング６０は、閉じていても開いていてもよく、保持リング５０のように、ピボットデバイス８に接して配置されるような寸法構成を有する。このようにして、グリップリング６０は、ピボットデバイス８に圧力ばめされる。保持リング５０の周部と平行な溝であってスタッド８３又はセッティング８０の周部にわたって延在する溝を設けて、グリップリング６０の鉛直方向の変位を防ぐことができる。このようにして、グリップリング６０は、保持リング５０の上に位置する。グリップリング６０は、さらに、弾性アーム６２を有する。このアーム６２は、グリップリング６０から延在しており、自由端６３を有する。アーム６２は、グリップリング６０の曲がりの方向と実質的に同じ方向にグリップリング６０から延在している。これによって、グリップリング６０とアーム６２の間に空間６４が形成される。
【００２８】
このデバイスを動作させるために、バランスばねスタッド７は、保持リング５０のハウジング５３内に配置される。そして、グリップリング６０は、弾性アーム６２の端６３がバランスばねスタッド７の近くの方に動くように回転する。弾性アーム６２の自由端６３は、巧みに、突起６５を有し、これによって、バランスばねスタッド７に部分的に接触するように構成している。結果的に、組み立てに責任を負う操作者は、グリップリング６０を回転させるときに、わずかな力を加えることになる。この応力の影響の下では、弾性アーム６２は、変形して脇に移動する。このことによって、バランスばねスタッド７を挿入するための空間が大きくなる。突起６５を備える弾性アーム６２の自由端６３をバランスばねスタッド７が通り抜けるときに、弾性アーム６２は、その安静位置ないし初期位置に戻る傾向がある。この場合、弾性アーム６２は、バランスばねスタッドに力を与える傾向がある。スタッド７が保持リング５０のハウジング５３内にあるので、この弾性アーム６２が与える力によって、バランスばねスタッド７の位置をロックすることが可能になる。グリップリング６０及び保持リング５０は、これらとピボット手段８の間の摩擦がリングの不時の回転を防ぎつつリングの回転を可能にするような寸法構成でなければならない。したがって、グリップ手段６によってバランスばねスタッド７をアンロックすることによって、バランスばねを損傷させるリスクなしで、「バランスコック／バランスばねスタッドホルダー／ショックアプソーバー」部分から「バランス／バランスばね／バランスばねスタッド」部分を単純に取り除くことができる。
【００２９】
図４及び５に示す好ましい変種において、バランスばねスタッド７は、バランスばねを頭部７２に取り付けることを可能にするような本体７１を有する。この頭部７２は、本体７１よりも直径が大きい円錐側面状の輪郭７３を有する。バランスばねスタッドの頭部７２を、突き出ている２つの延長部分５２上に置くことができる。そして、この円錐側面状の輪郭７３にてバランスばねスタッド７と接触する弾性アーム６２は、円錐側面の傾斜に垂直な力を与える。これによって、バランスばねスタッド７を、突き出ている２つの延長部分５２に対してｚ軸の方向に押し込み、そして、バランスばねスタッド７のハウジング内にｘｙ平面に沿った方向に押し込む。ハウジング５３及び／又はバランスばねスタッド７は、角度的にロックするために平坦な部分を有することができる。
【００３０】
図２に示す好ましい変種では、保持リング５０及びグリップリング６０はそれぞれ、位置合わせ用延長材５６、６６を有する。このようにして、グリップリング６０及び保持リング５０にはそれぞれ、半径方向に延在する延長材が設けられており、この延長材があることで、ピンセットタイプの工具によってつかむことが可能になる。巧妙なことに、図３に示すように、これらの延長材５６、６６は、バランスばねスタッド７がロックされているときに、延長材５６、６６が対面するように構成している。この構成によって、グリップ手段６０と保持手段５０を同時に回転させることが可能になる。
【００３１】
この図６〜１０に示す第１の実施形態の変種では、保持リング５０は、バランスばねスタッド受容手段５１が、バランスばねスタッド７のためのハウジング５３’を形成する開口によって穴を開けられた単一の延長材５２’の形態であるように作られる。この場合、グリップリング６０は、保持リング５０の下に配置され、バランスばねスタッド７の頭部７２は、逆円錐側面状の輪郭７３’を有する。この変種の構成において、アセンブリーは類似しており、これによって、弾性アーム６２がバランスばねスタッド７の円錐側面７３’と接触し、円錐側面７３’の傾斜に垂直な力が発生する。この力は、バランスばねスタッド７をそのハウジング５３’内にＺ軸に沿った方向に押し込み、そして、そのハウジング５３’内にＸＹ平面に沿った方向に押し込む。ハウジング及び／又はバランスばねスタッドは、角度的ロックを達成するために平坦な部分を有することができる。
【００３２】
図１１〜１５に示す第２の実施形態において、保持手段５は、保持リング５００の形態である。保持リング５００は、閉じていても開いていてもよく、実質的に環状であるピボットデバイス８に接して配置されるような寸法構成を有する。保持リングは、ピボットデバイス８に圧力ばめされる。すなわち、セッティング８０又はスタッド８３に圧力ばめされる。スタッド８３又はセッティング８０の周部にわたって延在する溝を設けて、保持リング５００の鉛直方向の変位を防ぐことができる。保持リング５００は、さらに、バランスばねスタッド受容手段５１０を有する。この受容手段５１０は、弾性アーム５１２を有し、これは、リング５００から延在しており、バランスばねスタッド７を収容するハウジング５１４をリング５００とともに形成している。
【００３３】
この第２の実施形態において、グリップ手段６は、グリップリング６００の形態である。グリップリング６００は、閉じていても開いていてもよく、保持リング５００のように、ピボットデバイス８に接して配置されるような寸法構成を有する。このようにして、グリップリング６００は、ピボットデバイス８に圧力ばめされる。スタッド８３又はセッティング８０の周部にわたって保持リング５００の周部と平行に延在する溝を設けて、グリップリング６００の鉛直方向の変位を防ぐことができる。このようにして、グリップリング６００は、保持リング５００の上に位置する。
【００３４】
グリップリング６００は、フレーム６０４にマウントされるスタッド６０２を有する。実際に、この第２の実施形態の動作原理によると、このスタッド６０２を用いて弾性アーム５１２に応力を与えて、バランスばねスタッド７をロックする。そして、グリップリング６００は、スタッド６０２が弾性アーム５１２と接触するように回転する。グリップリング６００の回転が継続すると、弾性アーム５１２に与えられる応力がこの弾性アーム５１２を変形させ、バランスばねスタッド７をロックする。フレーム６０４によって、スタッド６０２が中心点から動くことが可能になる。伝統的な手法で、フレーム６０４は、自由端６０５’にスタッド６０２が設けられているアーム６０４であることができる。スタッド６０２がフレーム６０４と一体的であったり、自由端６０５’に穴が設けられ、この穴の中にスタッド６０２が配置され固定されることができる。
【００３５】
有利な変種において、フレームは、グリップリング６００から半径方向に延在する少なくとも２つのアーム６０５ａ、６０５ｂを有し、これらのアーム６０５どうしが、棒ないし横材６０６によって接続されている。棒６０６に突起が設けられ、この突起にスタッドが配置される。この構成によって、アームを１つのみ有するフレームよりも剛性が良くなる。
【００３６】
この図１１に示すフレーム構成において、少なくとも２つのアーム６０５の間の間隔は、バランスばねスタッド７が、グリップリングの回転時に、アームと接触せずにその間隔の間に収容されることができるほど十分に大きくされる。好ましいことに、フレーム６０４のアーム６０５のうちの１つは、バランスばねスタッド７がロックされているときに、アーム６０５が保持リング５００の位置合わせ用延長材５１６に面しているように構成している。したがって、この構成によって、操作者がピンセットによってアーム６０５と延長材５１６をつかみ、２つのリング５００及び６００の角度的位置を変えることが可能になる。したがって、このことによって、バランスばねスタッド７のロックを変更せずに、角度的調整をすることが可能になる。
【００３７】
好ましい構成では、フレーム６０４は、４つのアーム６０５を有する。第２のアーム６０５と第３のアーム６０５の間の間隔は、バランスばねスタッド７を収容することのために選ばれる。第４のアーム６０５は、延長材５１６と連係して２つのリング５００、６００の角度的位置を変更することができるように構成している。
【００３８】
バランスばねスタッド７が、バランスばねと頭部７２０の取り付けを可能にするように構成している本体７１０を有することを想到することかできる。この頭部７２０は、円筒状の輪郭７３０を有している。図１４に示すように、本体７１０には、さらに、弾性アーム５１２の台を形成する突出部７４０が設けられている。
【００３９】
図１６及び１７に示す第２の実施形態の変種では、フレーム６０４は１つのアーム６０９を有しており、このアーム６０９の自由端６０９’は、構造６１０にて終わっている。この構造６１０は、ガイド溝と同様な溝６１２が形成されている部分６１１の形態である。この溝６１２の中に、保持リング５００の弾性アーム５１２が収容される。弾性アーム５１２の張りによって、構造６１０の溝６１２の壁のうちの１つと弾性アーム５１２が、恒久的に接触することが可能になる。結果的に、フレーム６０４を担持するグリップリング６００が回転しているときに、構造６１０の溝によってガイドされる弾性アーム５１２が変形する。この変形によって、弾性アーム５１２がバランスばねスタッド７をつかみ、バランスばねスタッド７の位置をロックすることが可能になる。
【００４０】
添付の請求の範囲によって定められる本発明の範囲から逸脱せずに、上記の本発明の様々な実施形態に対して当業者に明らかな様々な変更及び／又は改善及び／又は組み合わせを行うことができることは明らかである。
【００４１】
例えば、バランスばねは、バランスばねスタッドホルダーの寸法よりも小さな直径であることを想到することができる。これによって、バランスばねがバランスばねスタッドホルダーによって保護される。実際に、ケイ素製バランスばねを用いることが一般的になっている。この材料には、有利な反磁性的な特性があるからである。しかし、ケイ素は、過度の衝撃があった場合には壊れてしまう脆弱な材料である。バランスばねがバランスばねスタッドホルダーよりも小さな寸法構成を有するように、バランスばねスタッドホルダー及びバランスばねを構成することによって腕時計が時を刻んでいるときやアフターセールスサービスのときに発生しうるあらゆる衝撃に対してケイ素製バランスばねを保護するようにスタッドホルダーが用いられる。
【符号の説明】
【００４２】
１  アセンブリー
２  バランスコック
４  バランスばねスタッドホルダー
５  保持手段
６  グリップ手段
７  バランスばねスタッド
８  隆起
５０  保持リング
５１  バランスばねスタッド受容手段
５２、５２’  延長部分
５３、５３’、５１４  ハウジング
５６、６６  位置合わせ用延長材
６０、６００  グリップリング
６２、５１２  弾性アーム
６４  空間
５００  保持リング
６０２  スタッド
６０４  フレーム
６０５  アーム
６０６  横材
６１２  溝
【図１】
0006379164.tif 000002
【図２】
0006379164.tif 000003
【図３】
0006379164.tif 000004
【図４】
0006379164.tif 000005
【図５】
0006379164.tif 000006
【図６】
0006379164.tif 000007
【図７】
0006379164.tif 000008
【図８】
0006379164.tif 000009
【図９】
0006379164.tif 000010
【図１０】
0006379164.tif 000011
【図１１】
0006379164.tif 000012
【図１２】
0006379164.tif 000013
【図１３】
0006379164.tif 000014
【図１４】
0006379164.tif 000015
【図１５】
0006379164.tif 000016
【図１６】
0006379164.tif 000017
【図１７】
0006379164.tif 000018